(57)【要約】【課題】吹出口から風が排出される際、所望の方向からずれた方向に風が排出されることを抑制できる整流部材、及び送風装置を提供する。【解決手段】整流部材８は、空気清浄機１００の吹出口Ｂに通じる風路Ｎに装着可能である。整流部材８は、本体部８１と、ガイド部とを有する。本体部８１には、風を通過させる孔部８２が形成される。ガイド部は、孔部８２に架けられ、孔部８２を通過する風を所定の方向にガイドする。ガイド部は、第１リブ部８３と第２リブ部８４とを有する。第１リブ部８３と第２リブ部８４との各々は、風を通過させる方向である第１方向に沿って高さを有する。第１リブ部８３の第１方向の寸法と、第２リブ部８４の第１方向の寸法とが異なる。【選択図】図５
2020165553.tif 000002
【特許請求の範囲】
【請求項１】
送風装置の吹出口に通じる風路に装着可能な整流部材であって、
前記整流部材は、
風を通過させる孔部が形成される本体部と、
前記孔部に架けられ、前記孔部を通過する風を所定の方向にガイドするガイド部と
を備え、
前記ガイド部は、
風を通過させる方向である第１方向に沿って高さを有する第１壁部と第２壁部とを有し、
前記第１壁部の前記第１方向の寸法と、前記第２壁部の前記第１方向の寸法とが異なる、整流部材。
【請求項２】
前記第２壁部は、前記第１方向に対して垂直な第２方向に長手の形状を有し、
前記第１壁部は、前記第１方向及び前記第２方向の各々に対して垂直な第３方向に長手の形状を有し、
前記整流部材が前記送風装置に装着された状態で、前記吹出口が前記第２方向の一方側を向いて開口する、請求項１に記載の整流部材。
【請求項３】
前記第１壁部の前記第１方向の寸法の方が、前記第２壁部の前記第１方向の寸法よりも大きい、請求項２に記載の整流部材。
【請求項４】
前記第１壁部は、湾曲した形状を有し、前記第２壁部と交差する、請求項１から請求項３のいずれか１項に記載の整流部材。
【請求項５】
前記第１方向の位置において、前記第１壁部の端部の方が前記第２壁部の端部よりも、前記第１方向の一方側に位置する、請求項３に記載の整流部材。
【請求項６】
前記第１壁部は、複数設けられ、
前記第２壁部は、複数設けられ、
前記複数の前記第１壁部と前記複数の前記第２壁部とが、格子状に配置される、請求項４に記載の整流部材。
【請求項７】
請求項１から請求項６のいずれか１項に記載の整流部材と、
前記吹出口が形成される筐体と
を備え、
前記ガイド部に対して前記吹出口が前記第１方向の一方側に位置するように、前記ガイド部が前記筐体の内部に配置される、送風装置。
【請求項８】
前記筐体に回転可能に支持され、前記ガイド部から流れる風をガイドするルーバーをさらに備える、請求項７に記載の送風装置。
【発明の詳細な説明】
【技術分野】
【０００１】
本発明は、整流部材、及び送風装置に関する。
【背景技術】
【０００２】
特許文献１に記載の空気清浄機は、本体と、ルーバーとを備える。本体の上部には、吹出口が設けられる。ルーバーは、吹出口に設置される。本体の内部の空気流路が形成される。空気流路を流れる風は、ルーバーにガイドされて吹出口から排出される。
【先行技術文献】
【特許文献】
【０００３】
【特許文献１】特開２００９−６８８２９号公報
【発明の概要】
【発明が解決しようとする課題】
【０００４】
しかし、空気流路を流れる風が、ルーバーに当たらず、ルーバーから離間した場所に供給される場合、ルーバーから離間した場所に供給された風は、ルーバーによりガイドされない。その結果、吹出口から風が排出される際、ルーバーによりガイドされなかった風が、所望の方向（ルーバーの回転角度に応じた方向）からずれた方向に排出されるおそれがあった。
【０００５】
本発明は、吹出口から風が排出される際、所望の方向からずれた方向に風が排出されることを抑制できる整流部材、及び送風装置を提供することを目的とする。
【課題を解決するための手段】
【０００６】
本願の第１局面によれば、整流部材は、送風装置の吹出口に通じる風路に装着可能である。前記整流部材は、本体部と、ガイド部とを有する。本体部には、風を通過させる孔部が形成される。ガイド部は、前記孔部に架けられ、前記孔部を通過する風を所定の方向にガイドする。前記ガイド部は、第１壁部と第２壁部とを有する。第１壁部と第２壁部との各々は、風を通過させる方向である第１方向に沿って高さを有する。前記第１壁部の前記第１方向の寸法と、前記第２壁部の前記第１方向の寸法とが異なる。
【０００７】
本願の第２局面によれば、送風装置は、上記整流部材と、筐体とを備える。筐体には、前記吹出口が形成される。前記ガイド部に対して前記吹出口が前記第１方向の一方側に位置するように、前記ガイド部が前記筐体の内部に配置される。
【発明の効果】
【０００８】
本発明の整流部材、及び送風装置によれば、吹出口から風が排出される際、所望の方向からずれた方向に風が排出されることを抑制できる。
【図面の簡単な説明】
【０００９】
【図１】本発明の本実施形態に係る空気清浄機の側面図である。
【図２】空気清浄機の断面図である。
【図３】整流部材の斜視図である。
【図４】整流部材の平面図である。
【図５】整流部材の断面図である。
【図６】整流部材を風が通過する状態を示す図である。
【図７】筐体の前方から吹出口を見た斜視図である。
【図８】第１リブ部と第２リブ部との変形例を示す図である。
【図９】第１リブ部と第２リブ部との変形例を示す図である。
【図１０】図４のＶＩＩＩ−ＶＩＩＩ断面図である。
【図１１】第１リブ部の第１の変形例を示す図である。
【図１２】第１リブ部の第２の変形例を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１及び図２を参照して、本発明の本実施形態に係る空気清浄機１００について説明する。図１は、本発明の本実施形態に係る空気清浄機１００の側面図である。図２は、空気清浄機１００の断面図である。
【００１２】
空気清浄機１００は、本発明の送風装置の一例である。送風装置は、送風装置の外部から送風装置の内部に空気を取り入れて、取り入れた空気に対して加工処理を施し、加工処理後の空気を送風装置の外部に排出する。加工処理、例えば、空気を浄化する処理、空気にイオンを供給する処理、空気を除湿する処理、及び空気を加湿する処理のうちの少なくとも１つの処理を含む。
【００１３】
図１及び図２に示すように、空気清浄機１００は、筐体１を備える。筐体１は、中空の部材である。筐体１は、例えば、樹脂により形成される。
【００１４】
筐体１は、第１筐体１０と、第２筐体２０とを含む。第１筐体１０には、第２筐体２０が着脱自在に取り付けられる。第２筐体２０は、第１筐体１０の外側に位置する。第１筐体１０に第２筐体２０が取り付けられることで、第１筐体１０の一部が第２筐体２０によって覆われる。なお、第１筐体１０と第２筐体２０とは、一体の部材でもよい。
【００１５】
筐体１は、把持部３をさらに含む。把持部３は、筐体１の外面の一部を凹ませた形状を有する。ユーザーは、把持部３を把持して空気清浄機１００を持ち運ぶ。
【００１６】
筐体１には、吸気口Ａが形成される。吸気口Ａは、筐体１の内部Ｍと外部とを連通する。吸気口Ａは、筐体１の下部１２に形成される。
【００１７】
以下では、空気清浄機１００が設置された状態で、吸気口Ａが向く方向を前方として、前後方向、左右方向、及び上下方向を規定する。前後方向は、本発明の第２方向の一例である。前方は、本発明の第２方向の一方側の一例である。左右方向は、本発明の第３方向の一例である。上下方向は、本発明の第１方向の一例である。上方は、本発明の第１方向の一方側の一例である。
【００１８】
筐体１には、吹出口Ｂがさらに形成される。吹出口Ｂは、筐体１の内部Ｍと外部とを連通する。吹出口Ｂは、筐体１の上部１１に形成される。吹出口Ｂは、前方に向けて開口する。
【００１９】
空気清浄機１００は、発光部４と、浄化部５と、送風部６とをさらに備える。
【００２０】
発光部４、浄化部５、及び送風部６は、筐体１の内部Ｍに配置される。
【００２１】
発光部４は、浄化部５に向けて光を照射する。発光部４は、例えば、ＬＥＤのような光源を含む。
【００２２】
浄化部５は、空気を浄化する。浄化部５は、発光部４の上方に配置される。浄化部５は、例えば、光触媒フィルターを含む。光触媒フィルターに含まれる光触媒は、発光部４から光を照射されることで触媒作用を生成する。その結果、空気が浄化部５の光触媒フィルターを通過する際、空気中の臭い成分が分解される。臭い成分は、例えば、アンモニア、メチルメルカプタン、トリメチルアミン、及び／又は、ノネナール等である。
【００２３】
浄化部５は、物理吸着型フィルター、及び／又は、化学吸着型フィルターを含み、物理吸着型フィルター、及び／又は、化学吸着型フィルターによって臭い成分を吸着してもよい。光触媒フィルターが用いられない場合、空気清浄機１００は発光部４を備えてなくてもよい。
【００２４】
本実施形態では、浄化部５は、空気の浄化の第１例として、空気中の臭い成分を低減させる。しかし、本発明はこれに限定されない。浄化部５は、空気の浄化の第２例として、空気中の塵埃を低減させてもよい。この場合、浄化部５は、例えば、ＨＥＰＡフィルターを含む。
【００２５】
筐体１の内部Ｍには、風路Ｎが形成される。本実施形態では、風路Ｎは、上下方向に沿って延びる。風路Ｎは、吸気口Ａと吹出口Ｂとに連通する。風路Ｎ上には、浄化部５と、送風部６とが配置される。
【００２６】
送風部６は、風（空気の流れ）を生成する。送風部６は、例えば、ファンと、ファンを回転させる駆動源を含む。駆動源は、例えば、モータを含む。
【００２７】
空気清浄機１００は、イオン供給部７をさらに備える。イオン供給部７は、筐体１の内部Ｍに配置される。イオン供給部７は、風路Ｎ上に配置される。イオン供給部７は、送風部６の下流に配置される。イオン供給部７は、風路Ｎを流れる風にイオンを供給する。イオンは、正イオン、及び負イオンのうちの少なくとも１つのイオンを含む。
【００２８】
空気清浄機１００は、整流部材８と、ルーバー９とをさらに備える。整流部材８及びルーバー９は、風路Ｎ上に配置される。
【００２９】
整流部材８は、送風部６により送られる風をガイドする。整流部材８は、風路Ｎに装着可能である。整流部材８は、筐体１の内部Ｍに配置され、筐体１の内部Ｍに固定される。整流部材８は、例えば、ネジのような固定部材を用いて筐体１の内部Ｍに締結され、及び／又は、筐体１に形成された係合部に係合されることで、筐体１の内部Ｍに固定される。整流部材８は、筐体１の内部Ｍに固定されることで、風路Ｎに装着される。整流部材８は、イオン供給部７の下流に配置される。整流部材８は、筐体１に対して定位置に配置される。整流部材８が空気清浄機１００（風路Ｎ）に装着された状態で、吹出口Ｂが前側を向いて開口する。前側は、本発明の第２方向の一方側の一例である。
【００３０】
ルーバー９は、整流部材８から流れる風をガイドする。ルーバー９は、整流部材８の下流に配置される。ルーバー９は、吹出口Ｂの上流に配置される。ルーバー９は、板状の部材を湾曲させた形状を有する。ルーバー９は、風路Ｎ上において、吹出口Ｂの直前に配置される。
【００３１】
ルーバー９は、筐体１の内部Ｍに回転可能に取り付けられる。ルーバー９は、筐体１に対して回転可能に支持される。
【００３２】
筐体１に対するルーバー９の取り付け構造の一例について説明する。
【００３３】
空気清浄機１００は、回転軸１５を備える。回転軸１５は、筐体１に取り付けられ、筐体１により支持される。
【００３４】
ルーバー９は、先端部９ａと、基端部９ｂと、案内面９ｃとを含む。先端部９ａは、基端部９ｂよりも吹出口Ｂ側に位置する。先端部９ａは、吹出口Ｂと対向する。ルーバー９の基端部９ｂには、回転軸１５が挿通する。
【００３５】
ルーバー９の先端部９ａは、回転軸１５を中心に回転する。詳細には、ルーバー９の先端部９ａが、回転軸１５を中心に上下に回転する。ルーバー９が回転することで、筐体１に対するルーバー９の回転角度が変更される。
【００３６】
筐体１に対するルーバー９の回転角度が変更されることで、吹出口Ｂから排出される風の排出方向Ｈが変更される。詳細には、筐体１に対するルーバー９の回転角度が変更されることで、所定方向Ｘに対する排出方向Ｈの上下方向の傾斜角度θが変更される。その結果、吹出口Ｂからは、ルーバー９の回転角度に応じた方向に風が排出される。言い換えれば、ルーバー９は、吹出口Ｂから排出される風の排出方向Ｈを、ルーバー９の回転角度に応じた方向に規定する。
【００３７】
所定方向Ｘは、吹出口Ｂの向く方向を示す。所定方向Ｘは、具体的には、筐体１の内部Ｍから吹出口Ｂを介して筐体１の外部に向かう方向のうち、水平面に対して平行、かつ、ルーバー９の回転軸１５の軸方向に対して垂直な方向を示す。本実施形態では、ルーバー９の回転軸１５の軸方向は、左右方向である。また、本実施形態では、所定方向Ｘは、前方向である。
【００３８】
ルーバー９は、案内面９ｃを含む。案内面９ｃは、ルーバー９のうち下方を向く面である。ルーバー９に到達した風は、案内面９ｃに沿って流れる。その結果、吹出口Ｂから案内面９ｃに沿った方向に風が排出される。
【００３９】
筐体１に対するルーバー９の回転角度の変更は、ユーザーが行ってもよい。この場合、ユーザーがルーバー９を把持して回転させる。また、筐体１に対するルーバー９の回転角度の変更は、空気清浄機１００が行ってもよい。この場合、空気清浄機１００は、モータのような回転駆動源を備え、回転駆動源によりルーバー９を回転させる。
【００４０】
空気清浄機１００は、記憶部Ｓ１と、制御部Ｓ２とをさらに備える。
【００４１】
記憶部Ｓ１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部Ｓ２によって実行される種々のコンピュータープログラムを記憶する。
【００４２】
制御部Ｓ２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部Ｓ２は、空気清浄機１００の各要素を制御する。
【００４３】
図２を参照して、風路Ｎを通じた風の流れについて説明する。
【００４４】
図２に示すように、送風部６が稼働することで、筐体１の外部から吸気口Ａを介して筐体１の内部Ｍに風が流入する。筐体１の内部Ｍに流入した風は、浄化部５及びイオン供給部７の順番に、筐体１の内部Ｍを流れる。浄化部５及びイオン供給部７を流れる風は、浄化部５を通過する際に浄化され、イオン供給部７を通過する際にイオンを供給される。浄化部５及びイオン供給部７を通過した風は、整流部材８を通過した後、ルーバー９の回転角度に応じた方向に向かって吹出口Ｂから排出される。その結果、浄化されると共にイオンを供給された風が、吹出口Ｂから排出される。本実施形態では、送風部６が稼働することは、送風部６の駆動源であるモータがファンを回転させることを示す。
【００４５】
なお、空気清浄機１００は、浄化部５とイオン供給部７との両方を含んでいる必要はなく、浄化部５及びイオン供給部７のうちの少なくとも１つを含んでいてもよい。
【００４６】
次に、図２から図７を参照して、整流部材８について説明する。図３は、整流部材８の斜視図である。図４は、整流部材８の平面図である。図５は、整流部材８の断面図である。図６は、整流部材８を風が通過する状態を示す図である。図７は、筐体１の前方から吹出口Ｂを見た斜視図である。
【００４７】
図２から図５に示すように、整流部材８は、本体部８１を備える。本体部８１は、整流部材８の主たる構造体である。本体部８１は、例えば、樹脂により形成される。本体部８１は、筐体１の内部Ｍに固定される。
【００４８】
本体部８１には孔部８２が形成される。孔部８２は、本体部８１を上下方向に沿って貫通する。孔部８２は、整流部材８の上流と下流とを連通する。孔部８２は、例えば、上方から見て、矩形の一辺を略円弧状に湾曲させた形状を有する。本実施形態では、孔部８２のうちの前部が略円弧状に形成される。なお、孔部８２の形状は、本実施形態の形状に限定されない。孔部８２には、風路Ｎが存在する。上方から見て、孔部８２の前方には、吹出口Ｂが配置される。
【００４９】
孔部８２は、第１縁部８２ａと、第２縁部８２ｂと、第３縁部８２ｃと、第４縁部８２ｄとを有する。第１縁部８２ａと、第２縁部８２ｂと、第３縁部８２ｃと、第４縁部８２ｄとは、孔部８２を形成する空所の枠を構成する部分である。第１縁部８２ａと、第２縁部８２ｂと、第３縁部８２ｃと、第４縁部８２ｄとは、第１縁部８２ａ、第２縁部８２ｂ、第３縁部８２ｃ、第４縁部８２ｄ、及び第１縁部８２ａの順番に環状に連なる。第１縁部８２ａと第３縁部８２ｃとは、前後方向に沿って互いに間隔を空けて配置され、前後方向に沿って互いに対向する。第２縁部８２ｂと第４縁部８２ｄとは、左右方向に沿って互いに間隔を空けて配置され、左右方向に沿って互いに対向する。
【００５０】
整流部材８は、第１リブ部８３と、第２リブ部８４とをさらに備える。第１リブ部８３及び第２リブ部８４の各々は、所定の方向に風をガイドする。所定の方向は、例えば、ルーバー９に向かう方向である。第１リブ部８３及び第２リブ部８４は、本発明のガイド部の一例である。第１リブ部８３は、本発明の第１壁部の一例である。第２リブ部８４は、本発明の第２壁部の一例である。
【００５１】
第１リブ部８３及び第２リブ部８４の各々は、長手形状を有する略板状の部材である。第１リブ部８３及び第２リブ部８４の各々は、例えば、樹脂により形成される。第１リブ部８３及び第２リブ部８４の各々は、筐体１の内部Ｍに固定される。第１リブ部８３及び第２リブ部８４の各々は、風路Ｎ上に配置される。第１リブ部８３及び第２リブ部８４の各々は、送風部６の下流に配置されると共に、吹出口Ｂの上流に配置される。
【００５２】
第１リブ部８３及び第２リブ部８４は、ルーバー９と対向配置される。第１リブ部８３及び第２リブ部８４の上方には、ルーバー９が配置される。第１リブ部８３は、第２リブ部８４と交差する。
【００５３】
第１リブ部８３は、左右方向に長手の形状を有する。第１リブ部８３は、前方へ略円弧状に湾曲しつつ、左右方向に沿って延びる形状を有する。
【００５４】
なお、第１リブ部８３は、湾曲しておらず、略直線状に形成されてもよい。この場合、第１リブ部８３は、例えば、左右方向に沿って略直線状に延びる形状を有する。
【００５５】
第１リブ部８３は、孔部８２に架けられる。
【００５６】
第１リブ部８３は、第２縁部８２ｂと第４縁部８２ｄとに連なりつつ孔部８２に架けられ、又は、第１リブ部８３の両端が第４縁部８２ｄに連なりつつ孔部８２に架けられる。
【００５７】
第１リブ部８３は、複数設けられる。本実施形態では、第１リブ部８３は、５つ設けられる。複数の第１リブ部８３のうちの隣り合う第１リブ部８３は、前後方向に沿って互いに間隔を空けて配置される。複数の第１リブ部８３は、互いに略平行に配置され、前後方向に沿って並んでいる。なお、第１リブ部８３の個数は、特に限定されない。
【００５８】
複数の第１リブ部８３は、リブ部８３ａと、リブ部８３ｂと、リブ部８３ｃと、リブ部８３ｄと、リブ部８３ｅとを含む。複数の第１リブ部８３のうちのリブ部８３ａ〜リブ部８３ｃは、第２縁部８２ｂと第４縁部８２ｄとに連なりつつ孔部８２に架けられる。複数の第１リブ部８３のうちのリブ部８３ｄとリブ部８３ｅとは、リブ部８３ｄ及びリブ部８３ｅの各々の両端が第３縁部８２ｃに連なりつつ孔部８２に架けられる。
【００５９】
なお、第１リブ部８３は、第１リブ部８３の両端が第１縁部８２ａに連なりつつ孔部８２に架けられてもよい。
【００６０】
第２リブ部８４は、前後方向に長手の形状を有する。第２リブ部８４は、前後方向に沿って略直線状に延びる形状を有する。なお、第２リブ部８４は、湾曲する形状を有していてもよい。
【００６１】
第２リブ部８４は、孔部８２に架けられる。
【００６２】
第２リブ部８４は、第１縁部８２ａと第３縁部８２ｃとに連なりつつ孔部８２に架けられる。
【００６３】
第２リブ部８４は、複数設けられる。本実施形態では、第２リブ部８４は、８つ設けられる。複数の第２リブ部８４のうちの隣り合う第２リブ部８４は、左右方向に沿って互いに間隔を空けて配置される。複数の第２リブ部８４は、互いに略平行に配置され、左右方向に沿って並んでいる。なお、第２リブ部８４の個数は、特に限定されない。
【００６４】
複数の第１リブ部８３と、複数の第２リブ部８４とは、互いに交差することで、格子状に配置される。孔部８２は、複数の第１リブ部８３と、複数の第２リブ部８４とで仕切られることにより、複数の仕切孔部８２１に分割される。
【００６５】
第１リブ部８３と第２リブ部８４とが孔部８２に架けられることで、孔部８２を通じて筐体１の内部Ｍに異物が入り込むことを抑制できる。
【００６６】
図５に示すように、送風部６から送られる風は、整流部材８（第１リブ部８３及び第２リブ部８４）を通過する際、複数の仕切孔部８２１の各々を通る。整流部材８（仕切孔部８２１）を通過した風は、ルーバー９を介して吹出口Ｂへ向かう。
【００６７】
第１リブ部８３及び第２リブ部８４の各々は、送風部６から送られる風がルーバー９に向かうように、送風部６から送られる風をガイドする。本実施形態では、第１リブ部８３及び第２リブ部８４の各々は、第１リブ部８３及び第２リブ部８４に風を沿わせることで、送風部６から送られる風がルーバー９に向かうように風の流れを整える。従って、送風部６から送られる風が、ルーバー９から離間した場所に供給されることが抑制される。その結果、吹出口Ｂから風が排出される際、所望の方向（ルーバー９の回転角度に応じた方向）からずれた方向に風が排出されることを抑制できる。
【００６８】
図５を参照して、第１リブ部８３及び第２リブ部８４の形状について説明する。
【００６９】
図５に示すように、上下方向の位置において、第１リブ部８３の上端部８３１の方が、第２リブ部８４の上端部８４１よりも上方に位置する。上下方向の位置において、第１リブ部８３の下端部８３２は、第２リブ部８４の下端部８４２と略同じ高さになる場所に位置する。第１リブ部８３の上下方向の寸法ｄ１の方が、第２リブ部８４の上下方向の寸法ｄ２よりも大きい（ｄ１＞ｄ２）。
【００７０】
図６を参照して、整流部８を通過する風の流れについて説明する。図６は、整流部８を通過する風の流れを示す模式図である。
【００７１】
図６に示すように、送風部６（図２参照）から送られる風は、上方へ流れつつ仕切孔部８２１を通過する。風は、仕切孔部８２１を通過する際、コアンダ効果により、第１リブ部８３と第２リブ部８４とのうち、特に第１リブ部８３に引き寄せられる。理由は、上下方向の位置において、第１リブ部８３の上端部８３１の方が第２リブ部８４の上端部８４１よりも上方に位置しているからである。
【００７２】
風が第１リブ部８３に引き寄せられると、仕切孔部８２１を通過した風が、前方向寄り又は後方向寄りに流れやすくなる。その結果、風が横漏れすることを抑制できる。風が横漏れすることは、ルーバー９（図２参照）によって規定される風の排出方向Ｈに対して左右に拡がった方向へ風が流れることを示す。
【００７３】
仮に、第２リブ部８４の上端部８４１の方が第１リブ部８３の上端部８３１よりも上方に位置すると、仕切孔部８２１を通過した風が、第２リブ部８４に引き寄せられる。その結果、風が左方向寄り又は右方向寄りに流れやすくなるので、風が横漏れする可能性が生じる。そこで、本実施形態では、第１リブ部８３の上端部８３１を第２リブ部８４の上端部８４１よりも上方へ配置することで、風が仕切孔部８２１を通過する際に、仕切孔部８２１のうちの下流側の領域Ｅにおいて、風を第１リブ部８３に引き寄せて、風が横漏れすることを抑制した。
【００７４】
また、整流部材８によると風が横漏れすることを抑制できるので、ルーバー９による風の吹付スポットに対して吹出口Ｂから風を効果的に供給することができ、吹付スポットに対する吹出口Ｂからの風の供給量を増加させることができる。その結果、吹付スポットに対して、イオン供給部７（図２参照）により生成されたイオンを含む風を効果的に供給でき、吹付スポットに供給されるイオンの濃度を高めることができる。
【００７５】
また、整流部材８を用いることで、吹出口Ｂの形状を工夫しなくても、整流部材８により風が横漏れすることを抑制できる。その結果、吹出口Ｂの形状の設計の自由度が向上するので、吹出口Ｂの形状のデザイン性を向上させることができる。
【００７６】
次に、図７を参照して、筐体１を前方から見たときの吹出口Ｂの状態について説明する。
【００７７】
図７に示すように、吹出口Ｂは、前方から見て、上下方向と、左右方向とに拡がる形状を有する。筐体１の前方から吹出口Ｂを見ると、吹出口Ｂの内側において、複数の第１リブ部８３が重なって見える。理由は、第１リブ部８３の上端部８３１の方が第２リブ部８４の上端部８４１よりも上方に位置しており、複数の第１リブ部８３の前後方向に沿って並んでおり（図４参照）、かつ、複数の第１リブ部８３の各々が左右方向に長手の形状を有するからである。従って、筐体１の前方から吹出口Ｂを見ると、複数の第１リブ部８３により孔部８２が略覆われるので、孔部８２から筐体１の内部Ｍ（図２参照）が視認されることを抑制できる。その結果、空気清浄機１００の美観を効果的に向上させることができる。
【００７８】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７９】
（１）本実施形態では、図４に示すように、整流部材８は、第１リブ部８３と、第２リブ部８４とを備える。しかし、本発明はこれに限定されない。整流部材８は、第１リブ部８３を備えるが、第２リブ部８４を備えていなくてもよい。すなわち、孔部８２には、第１リブ部８３が架けられているが、第２リブ部８４が架けられていなくてもよい。その結果、整流部８の部品点数を減らすことができる。
【００８０】
（２）本実施形態では、図５に示すように、上下方向の位置において、第１リブ部８３の下端部８３２と、第２リブ部８４の下端部８４２とは、略同じ高さに位置する。しかし、本発明はこれに限定されない。例えば、図８に示すように、上下方向の位置において、第１リブ部８３の下端部８３２は、第２リブ部８４の下端部８４２よりも下方に位置していてもよい。その結果、第１リブ部８３に風を効果的に引き寄せることができる。
【００８１】
また、図９に示すように、上下方向の位置において、第１リブ部８３の上端部８３１の方が第２リブ部８４の上端部８４１よりも上方に位置していることを前提として、第１リブ部８３の下端部８３２が、第２リブ部８４の下端部８４２よりも上方に位置していてもよい。この場合、第１リブ部８３の上下方向の寸法ｄ１の方が、第２リブ部８４の上下方向の寸法ｄ２以下でもよく（ｄ１≦ｄ２）、又は、寸法ｄ１が寸法ｄ２よりも大きくてもよい（ｄ１＞ｄ２）。その結果、寸法ｄ１と寸法ｄ２との大小関係が特に限定されないので、整流部８の設計の自由度を向上させることができる。
【００８２】
（３）図１０は、図４のＶＩＩＩ−ＶＩＩＩ断面図である。図１０は、複数の第１リブ部８３のうちのリブ部８３ａ〜リブ部８３ｃの断面図である。なお、図１０において、第２リブ部８４の図示が省略される。図１１は、第１リブ部８３の第１の変形例を示す図である。図１２は、第１リブ部８３の第２の変形例を示す図である。図９〜図１２を参照して、第１リブ部８３の変形例について説明する。
【００８３】
図１０に示すように、本実施形態では、リブ部８３ａ〜リブ部８３ｃの各々の上下方向の寸法ｄ１は、互いに略同じである。しかし、本発明は、これに限定されない。
【００８４】
図１１に示すように、第１リブ部８３の第１の変形例において、複数の第１リブ部８３の上下方向の寸法ｄ１が、互いに異なっていてもよい。例えば、複数の第１リブ部８３のうち、内側に位置するリブ部８３ｂ及びリブ部８３ｃの寸法ｄ１の方が、外側に位置するリブ部８３ａの寸法ｄ１よりも小さくてもよい。その結果、リブ部８３ｂ及びリブ部８３ｃの寸法ｄ１を小さくすることで、リブ部８３ｂ及びリブ部８３ｃに沿って流れる風の圧力損失を抑制でき、さらに、リブ部８３ａの寸法ｄ１を大きくすることで、リブ部８３ａにより風の横漏れを効果的に抑制できる。なお、内側は、左右方向の中央部側を示す。また、外側は、左右方向の外部側を示す。
【００８５】
図１２に示すように、第１リブ部８３の第２の変形例において、単数又は複数の第１リブ部８３が、上下方向に対して傾斜していてもよい。例えば、リブ部８３ａと、リブ部８３ｂと、リブ部８３ｃとのうち、リブ部８３ｂ及びリブ部８３ｃは上下方向に沿って延びる形状を有するが、リブ部８３ａは、上下方向に対して内側へ傾斜する。その結果、傾斜するリブ部８３ａにより風の横漏れを効果的に抑制できる。
【００８６】
（４）本実施形態では、空気清浄機１００は、ルーバー９を備える。しかし、本発明はこれに限定されない。空気清浄機１００は、ルーバー９を備えていなくてもよい。以下では、空気清浄機１００がルーバー９を備えていない場合の空気清浄機１００の装置構成の一例について説明する。
【００８７】
図５に示すように、筐体１は、天井面１ａを含む。天井面１ａは、筐体１の内部Ｍに位置し、吹出口Ｂに連なる面である。天井面１ａは、整流部材８（第１リブ部８３及び第２リブ部８４）に対して上方から対向する。
【００８８】
空気清浄機１００がルーバー９を備えていない場合、例えば、ルーバー９に代えて、天井面１ａが、吹出口Ｂから排出される風の排出方向Ｈを規定する。
【００８９】
以下では、天井面１ａにより風がガイドされる手順について説明する。
【００９０】
第１リブ部８３及び第２リブ部８４の各々は、送風部６から送られる風が天井面１ａに向かうように、送風部６から送られる風をガイドする。この場合、所定の方向（第１リブ部８３及び第２リブ部８４の各々が風をガイドする方向）は、天井面１ａに向かう方向である。第１リブ部８３及び第２リブ部８４の各々によりガイドされた風は、天井面１ａに到達すると、天井面１ａに沿って移動する。天井面１ａに沿って移動する風は、吹出口Ｂへ到達すると、吹出口Ｂから筐体１の外部へ排出される。この場合、吹出口Ｂから排出される風の排出方向Ｈは、天井面１ａの傾斜方向に応じた方向に規定される。その結果、ルーバー９が設けられない場合、吹出口Ｂからは、天井面１ａの傾斜方向に応じた方向に風が排出される。また、第１リブ部８３及び第２リブ部８４の各々は、第１リブ部８３及び第２リブ部８４に風を沿わせることで、送風部６から送られる風が天井面１ａに向かうように風の流れを整える。従って、送風部６から送られる風が、天井面１ａから離間した場所に供給されることが抑制される。その結果、吹出口Ｂから風が排出される際、所望の方向（天井面１ａの傾斜方向に応じた方向）からずれた方向に風が排出されることを抑制できる。
【産業上の利用可能性】
【００９１】
本発明は、整流部材、及び送風装置の分野に利用可能である。
【符号の説明】
【００９２】
１      筐体
６      送風部
８      整流部材
９      ルーバー
８１    本体部
８３    第１リブ部（第１壁部）
８４    第２リブ部（第２壁部）
１００  空気清浄機
Ｂ      吹出口
Ｎ      風路
【図１】
2020165553.tif 000003
【図２】
2020165553.tif 000004
【図３】
2020165553.tif 000005
【図４】
2020165553.tif 000006
【図５】
2020165553.tif 000007
【図６】
2020165553.tif 000008
【図７】
2020165553.tif 000009
【図８】
2020165553.tif 000010
【図９】
2020165553.tif 000011
【図１０】
2020165553.tif 000012
【図１１】
2020165553.tif 000013
【図１２】
2020165553.tif 000014